(57)【要約】【課題】組立作業に広い場所を必要とせず組み立て作業も短時間で済み、搬送スペースが僅かで済み、組み立てが容易な組立式家具キット、ユニット家具キット、及びそれらを用いて組み立てられる家具を提供する。【解決手段】２枚の主板6（底板11及び天板14）の間に２枚の支板7（左側板12及び右側板13）を位置させたときの支板7及び主板6のうち当接する部分において互いに近接する支板7の挿嵌穴70と主板6の挿嵌穴70とをその当接する部分を跨いで一対の並列ピン36が差し込まれることにより並列ピン36で固定されることによって全体を枠状に組み立てられることを特徴する。【選択図】図２
2013215496.tif 000002
【特許請求の範囲】
【請求項１】
２種類４枚の板材及びこれらを固定するための留め具によって構成されるものであって、前記板材は平行に配置した同一種類の２枚の前記板材としての主板の内側に、この板材と直角に配置した他の２枚の前記板材としての支板を挟んで枠状に組み立てて構成されるとともに、前記内側に挟まれる前記支板と前記支板の外側に位置する前記主板とが２枚ずつで１セットになる組立式家具キットであって、
前記主板は、
同一の所定の板厚（以下、この「板厚」と同一の寸法を「特定基本距離」とする。）を有し、前記主板の板面が水平となるように載置されたときの前記板面の上側を上面とし、前記主板の前記上面の下側の面を前記主板の下面とし、前記主板の前記上面の周囲の縁面のうちの一つが正面側に臨んだときのその縁面を前記主板の前面とし、前記主板の前記前面の反対側の面を前記主板の後面とし、
前記支板は、
前記特定基本距離の板厚を有し、前記支板の板面が垂直となるように載置されたときの前記板面の上側の縁面を前記支板の上面とし、前記支板の前記上面の下側の面を前記支板の下面とし、前記支板の前記板面の周囲の縁面のうちの一つが正面側に臨んだときのその縁面を前記支板の前面として、前記支板の前記前面の反対側の面を前記支板の後面とし、前記支板の前記前面から前記支板の前記後面までの距離は、前記主板の前記前面から前記主板の前記後面までの距離と同一に形成され、
前記主板及び前記支板の前記前面及び前記後面には、前記前面及び前記後面の長手方向の一端から他端に向かって前記特定基本距離の２分の１の距離の位置且つ板厚中央の位置に前後方向に奥行きを有する挿嵌穴が形成され、さらに前記前面及び前記後面の前記挿嵌穴から前記他端の方向には、前記挿嵌穴と同一形状且つ平行な方向に奥行きを有する挿嵌穴が前記特定基本距離の間隔で１個又は複数個、板厚中央に形成され、
さらに前記主板及び前記支板の前記前面及び前記後面には、前記前面及び前記後面の長手方向の前記他端から前記一端に向かって前記特定基本距離の２分の１の距離の位置且つ板厚中央の位置に前後方向に奥行きを有する挿嵌穴が形成され、さらに前記主板及び前記支板の前記前面及び前記後面の前記挿嵌穴から前記一端の方向には、前記挿嵌穴と同一形状且つ平行な方向に奥行きを有する挿嵌穴が前記特定基本距離の間隔で１個又は複数個、板厚中央に形成され、
前記留め具は、前記挿嵌穴の内径と同一若しくは僅かに大きな外径を有するとともに前記特定基本距離だけ平行に離れた状態で配置される一対の並列ピンと、前記一対の並列ピン間を連結する連結部とを備え、
２枚の前記主板のうちの下側に位置する前記主板の上面と２枚の前記主板の上側に位置する前記主板の下面との間に前記支板が挟まれるとともに前記支板は前記主板の前記上面及び前記下面の両側端に沿って配置され、さらに前記支板の板面が前記主板の前記上面及び前記下面と直角となるように配置され、
前記２枚の主板の間に前記２枚の支板を位置させたときの前記支板及び前記主板のうち当接する部分において互いに近接する前記支板の前記挿嵌穴と前記主板の前記挿嵌穴とをその当接する部分を跨いで前記一対の並列ピンが差し込まれることにより前記並列ピンで固定されることによって全体を枠状に組み立てられることを特徴する組立式家具キット。
【請求項２】
前記主板の前面側の長手方向の長さは、前記支板の前面側の長手方向の長さに特定基本距離の２倍の長さを加えた長さに設定されていることを特徴とする請求項１記載の組立式家具キット。
【請求項３】
前記組立式家具キットは、前記２枚の主板及び前記２枚の支板を枠状に組み立てた状態の前記主板及び前記支板の前記前面又は前記後面と略同一寸法であるとともに前記前面又は前記後面を覆う四角枠状の四角フレームを備え、
前記四角フレームの４つの各角部には、
その角部が覆う前記主板の前記挿嵌穴の少なくとも１つに対向する前記四角フレームの位置から、前記挿嵌穴に向かって突出するとともに前記挿嵌穴の内径と同一若しくは僅かに小さな外径を有する外フレーム主板用取付ピンと、
その角部が覆う前記支板の前記挿嵌穴の少なくとも１つに対向する前記四角フレームの位置から、前記挿嵌穴に向かって突出するとともに前記挿嵌穴の内径と同一若しくは僅かに小さな外径を有する外フレーム支板用取付ピンとが形成されていることを特徴とする請求項１又は請求項２記載の組立式家具キット。
【請求項４】
請求項１から３までのいずれか１項に記載の組立式家具キットが複数個組み合わされたユニット家具キットであって、
前記留め具の前記並列ピンが、隣接する２個の組立式家具における両者の接触した接触部分を挟んで近接した２つの挿嵌穴にそれぞれ挿嵌されることにより、隣接する２個の組立式家具が前記留め具によって連結されることを特徴とするユニット家具キット。
【請求項５】
請求項１から３までのいずれか１項に記載の組立式家具キット、或いは請求項４に記載のユニット家具キットを用いて組み立てられることを特徴とする家具。
【発明の詳細な説明】
【技術分野】
【０００１】
本発明は、枠状の組立式家具キット、この組立式家具キットが複数個組み合わされたユニット家具キット、及び組立式家具キットやユニット家具キットを用いて組み立てられる家具に関する。
【背景技術】
【０００２】
従来、前面及び後面を開口した枠状の組立式家具を複数個組み立て、これらの組立式家具を自由に組み合わせて形成されるユニット家具が提供されている（特許文献１参照）。
【先行技術文献】
【特許文献】
【０００３】
【特許文献１】特開２００９−１２５０９５号公報
【発明の概要】
【発明が解決しようとする課題】
【０００４】
従来の組立式家具キットやユニット家具キットは、様々な形状の平板に対して様々な形状のネジや留め具などをドライバーやハンマー等の様々な工具を用いて、解説書や説明図等などを参照しつつ複雑な工程手順に沿って組み立てるようになっている。このため組み立て作業に広い場所が必要となる上に組み立て作業の時間が長くなる等の問題があった。
また、工程手順が複雑なため部品の組み間違いや取り付け方法や順序の間違いが発生しやすく、これらの間違いによる組み直しにより、さらに組み立て作業の時間が長くなり、または部品を破損したり紛失したりする等の問題もあった。
また、販売の際、製造工場等で既に組立工程の途中まで一部組み立ててある状態のものを販売することで購入者による組立工程が簡単になるが、そのようなものを搬送する際、搬送スペースが大きくなる上に搬送時の衝撃等で一部組み立てたものが破損してしまうという問題もあった。
【０００５】
また、板同士を全てネジで固定するようなものの場合、強固に固定するためにはかなりの力（回転モーメント）でネジを締め付けなければならない上にネジの本数が多く大変な労力が必要であった。ドライバーの扱いに熟練した作業者以外の者や女性が、電動ドライバーを用いずにそのような組立作業を行うと手が痛くなり、組み立てが容易ではないという問題があった。
そこで、本発明は、上述した問題に鑑みてなされたものであり、組立作業に広い場所を必要とせず組み立て作業も短時間で済み、搬送スペースが僅かで済み、組み立てが容易な組立式家具キット、この組立式家具キットを複数個有するユニット家具キット、及びそれらを用いて組み立てられる家具を提供することを課題とする。
【課題を解決するための手段】
【０００６】
（請求項１）
請求項１記載の発明は、２種類４枚の板材及びこれらを固定するための留め具30によって構成されるものであって、前記板材は平行に配置した同一種類の２枚の前記板材としての主板6の内側に、この板材と直角に配置した他の２枚の前記板材としての支板7を挟んで枠状に組み立てて構成されるとともに、前記内側に挟まれる前記支板7と前記支板7の外側に位置する前記主板6とが２枚ずつで１セットになる組立式家具キット5であって、前記主板6は、同一の所定の板厚（以下、この「板厚」と同一の寸法を「特定基本距離」とする。）を有し、前記主板6の板面が水平となるように載置されたときの前記板面の上側を上面18とし、前記主板6の前記上面18の下側の面を前記主板6の下面19とし、前記主板6の前記上面18の周囲の縁面のうちの一つが正面側に臨んだときのその縁面を前記主板6の前面16とし、前記主板6の前記前面16の反対側の面を前記主板6の後面17とし、前記支板7は、前記特定基本距離の板厚を有し、前記支板7の板面が垂直となるように載置されたときの前記板面の上側の縁面を前記支板7の上面18とし、前記支板7の前記上面18の下側の面を前記支板7の下面19とし、前記支板7の前記板面の周囲の縁面のうちの一つが正面側に臨んだときのその縁面を前記支板7の前面16として、前記支板7の前記前面16の反対側の面を前記支板7の後面17とし、前記支板7の前記前面16から前記支板7の前記後面17までの距離は、前記主板6の前記前面16から前記主板6の前記後面17までの距離と同一に形成され、前記主板6及び前記支板7の前記前面16及び前記後面17には、前記前面16及び前記後面17の長手方向の一端から他端に向かって前記特定基本距離の２分の１の距離の位置且つ板厚中央の位置に前後方向に奥行きを有する挿嵌穴70が形成され、さらに前記前面16及び前記後面17の前記挿嵌穴70から前記他端の方向には、前記挿嵌穴70と同一形状且つ平行な方向に奥行きを有する挿嵌穴70が前記特定基本距離の間隔で１個又は複数個、板厚中央に形成され、さらに前記主板6及び前記支板7の前記前面16及び前記後面17には、前記前面16及び前記後面17の長手方向の前記他端から前記一端に向かって前記特定基本距離の２分の１の距離の位置且つ板厚中央の位置に前後方向に奥行きを有する挿嵌穴70が形成され、さらに前記主板6及び前記支板7の前記前面16及び前記後面17の前記挿嵌穴70から前記一端の方向には、前記挿嵌穴70と同一形状且つ平行な方向に奥行きを有する挿嵌穴70が前記特定基本距離の間隔で１個又は複数個、板厚中央に形成され、前記留め具30は、前記挿嵌穴70の内径と同一若しくは僅かに大きな外径を有するとともに前記特定基本距離だけ平行に離れた状態で配置される一対の並列ピン36と、前記一対の並列ピン36間を連結する連結部35とを備え、２枚の前記主板6のうちの下側に位置する前記主板6の上面18と２枚の前記主板6の上側に位置する前記主板6の下面19との間に前記支板7が挟まれるとともに前記支板7は前記主板6の前記上面18及び前記下面19の両側端に沿って配置され、さらに前記支板7の板面が前記主板6の前記上面18及び前記下面19と直角となるように配置され、前記２枚の主板6の間に前記２枚の支板7を位置させたときの前記支板7及び前記主板6のうち当接する部分において互いに近接する前記支板7の前記挿嵌穴70と前記主板6の前記挿嵌穴70とをその当接する部分を跨いで前記一対の並列ピン36が差し込まれることにより前記並列ピン36で固定されることによって全体を枠状に組み立てられることを特徴する。
【０００７】
なお、ここで、本明細書において組立式家具キット5により組み立てられる「組立式家具10」からその内部に載置した物を取り出す側、いわゆる正面側を「前面」とし、その反対側を「後面」とする。そして、組立式家具10の前面側に位置する人から組立式家具10を見たときの左側を左方向、その人から見た右側を右方向とする。
（請求項２）
請求項２記載の発明は、上記した請求項１記載の発明の特徴点に加え、次の点を特徴とする。すなわち、前記主板6の前面16側の長手方向の長さは、前記支板7の前面16側の長手方向の長さに特定基本距離の２倍の長さを加えた長さに設定されていることを特徴とする。
【０００８】
（請求項３）
請求項３記載の発明は、上記した請求項１又は請求項２記載の発明の特徴点に加え、次の点を特徴とする。すなわち、前記組立式家具キット5は、前記２枚の主板6及び前記２枚の支板7を枠状に組み立てた状態の前記主板6及び前記支板7の前記前面16又は前記後面17と略同一寸法であるとともに前記前面16又は前記後面17を覆う四角枠状の四角フレーム60を備え、前記四角フレーム60の４つの各角部には、その角部が覆う前記主板6の前記挿嵌穴70の少なくとも１つに対向する前記四角フレーム60の位置から、前記挿嵌穴70に向かって突出するとともに前記挿嵌穴70の内径と同一若しくは僅かに小さな外径を有する外フレーム主板用取付ピン64と、その角部が覆う前記支板7の前記挿嵌穴70の少なくとも１つに対向する前記四角フレーム60の位置から、前記挿嵌穴70に向かって突出するとともに前記挿嵌穴70の内径と同一若しくは僅かに小さな外径を有する外フレーム支板用取付ピン65とが形成されていることを特徴とする。
【０００９】
（請求項４）
請求項４記載の発明は、次の点を特徴とする。すなわち、請求項１から３までのいずれか１項に記載の組立式家具キット5が複数個組み合わされたユニット家具キット4であって、前記留め具30の前記並列ピン36が、隣接する２個の組立式家具10における両者の接触した接触部分を挟んで近接した２つの挿嵌穴70にそれぞれ挿嵌されることにより、隣接する２個の組立式家具10が前記留め具30によって連結されることを特徴とする。
（請求項５）
請求項５記載の発明は、次の点を特徴とする。すなわち、請求項１から３までのいずれか１項に記載の組立式家具キット5、或いは請求項４に記載のユニット家具キット4を用いて組み立てられることを特徴とする家具3である。
【発明の効果】
【００１０】
本発明によれば、組立作業に広い場所を必要とせず組み立て作業も短時間で済み、また、底板、右側板、左側板及び天板からなる複数の構成部材を重ねることで小さな梱包とすることが可能となり、これにより梱包資材を削減することができ、さらには運搬時や保管時の占用スペースも少なくすることができる。また、ネジによる締結を行わずにピンを穴に挿嵌させるだけなので、工具を用いずに組み立てることができて、組み立てが容易な組立式家具キット、この組立式家具キットが複数個組み合わされたユニット家具キット、及びそれらを用いて組み立てられる家具を提供することができる。
【図面の簡単な説明】
【００１１】
【図１】本発明の第１の実施の形態であって、組立式家具の底板、左側板、右側板及び天板の外観組立図である。
【図２】本発明の第１の実施の形態であって、組立式家具の背面図である。
【図３】本発明の第１の実施の形態であって、（ａ）留め具の上面図、（ｂ）留め具の正面図である。
【図４】本発明の第１の実施の形態であって、ダボの外観正面図である。
【図５】本発明の第１の実施の形態であって、底板、左側板、右側板及び天板を組み合わせたものに四角フレームを取り付けようとする状態の組立式家具である。
【図６】本発明の第２の実施の形態であって、（ａ）第１組立式家具の正面図、（ｂ）第２組立式家具の正面図、（ｃ）第３組立式家具の正面図、（ｄ）第４組立式家具の正面図である。
【図７】本発明の第２の実施の形態であって、第１〜第４組立式家具を組み合わせた状態のユニット家具の一例の外観正面図である。
【図８】本発明の第２の実施の形態であって、図７のユニット家具の一部拡大図であって複数の組立式家具のダボによる連結を示す正面図である。
【図９】本発明の第２の実施の形態であって、図７に示すユニット家具の一部の留め具による連結状態を示す外観背面図である。
【発明を実施するための形態】
【００１２】
（第１の実施の形態）
本実施の形態に係る組立式家具キット5は、この組立式家具キット5を購入した購入者が自ら組み立てることにより組立式家具10を作成することができるものであって、この組立式家具10を組み立てるための板材や留め具30（図３参照）等の部品が一式揃っているものである。
図１に示すように、この組立式家具キット5による組立式家具10は、２種類４枚の板材及びこれらを固定するための留め具30（図３参照）によって構成されるものであって、前記板材は平行に配置した同一種類の２枚の板材としての主板6（底板11及び天板14）の内側に、この板材と直角に配置した他の２枚の板材としての支板7（左側板12及び右側板13）を挟んで枠状に組み立てて構成されるものである。そして、この組立式家具キット5は、前記内側に挟まれる支板7（左側板12及び右側板13）とこの支板7の外側に位置する主板6（底板11及び天板14）とが２枚ずつで１セットになるものである。
【００１３】
前記主板6（底板11及び天板14）は、主板6の板面が水平となるように載置されたときの板面の上側を上面18とし、主板6の上面18の下側の面を主板6の下面19とし、主板6の上面18の周囲の縁面のうちの一つが正面側に臨んだときのその縁面を主板6の前面16とし、主板6の前面16の反対側の面を主板6の後面17とする。
前記支板7（左側板12及び右側板13）は、支板7の板面が垂直となるように載置されたときの板面の上側を支板7の上面18とし、支板7の上面18の下側の面を支板7の下面19とし、支板7の板面の周囲の縁面のうちの一つが正面側に臨んだときのその縁面を支板7の前面16として、支板7の前面16の反対側の面を支板7の後面17とする。そして、支板7の前面16から支板7の後面17までの距離は、主板6の前面16から主板6の後面17までの距離と同一に形成されている。
【００１４】
図１に示すように、本実施の形態に係る組立式家具10は、前面16及び後面17を開口した立方体状の枠状に組み立てられるものである。なお、この組立式家具10の形状は、立方体状に限定されるものではなく、直方体状のものでもよい。この組立式家具10は上述したように２枚の主板6及び２枚の支板7の２種類の板材からなり、それぞれ合計すると４つの構成部材20から形成されている。
この４つの構成部材20は、最下部に位置する略水平な部分である主板6としての底板11と、この底板11の左端に略垂直に立設する部分である支板7としての左側板12と、底板11の右端に略垂直に立設する部分である支板7としての右側板13と、左側板12及び右側板13の上端間に渡されて最上部に位置する略水平な部分である主板6としての天板14とからなる。これらの構成部材20は、全体重量を軽量化するために内部に充填材を封入した合板からなるものであるが、特にこれに限定されるものではなく、木質からなるもの、又はプラスチック、鋼板製のものでもよい。全ての構成部材20の板厚は、全て同一であって、この板厚の寸法を「特定基本距離」として定義する。
【００１５】
本実施の形態に係る組立式家具10は、底板11における上側の板面（上面18）と左側板12における下側の縁面（下面19）とが当接している。また、底板11における上側の板面（上面18）と右側板13における下側の縁面（下面19）とが当接している。また、天板14における下側の板面（下面19）と左側板12における上側の縁面（上面18）とが当接している。また、天板14における下側の板面（下面19）と右側板13における上側の縁面（上面18）とが当接している。
なお、左側板12における右側面と天板14及び底板11における左側面とが当接され、且つ右側板13における左側面と天板14及び底板11における右側面とが当接されるように組み立てるようにしてもよい。
【００１６】
上述した底板11及び左側板12、底板11及び右側板13、天板14及び左側板12、天板14及び右側板13のように２個の構成部材20を組み合わせた場合において互いに当接する当接部分には、互いに対向する位置に２個のダボ穴42が形成されている。これらの２個の構成部材20を組み合わせる場合に、対向するダボ穴42に後述するダボ40（図４参照）を挿嵌させることにより、この当接部分が接合される。
詳述すると、２個の構成部材20を組み合わせる場合に、例えば底板11の上側左端の板面の各ダボ穴42にダボ40の一端をそれぞれ挿入するとともに、このダボ穴42に対向する左側板12の下側の縁面の各ダボ穴42にダボ40の他端をそれぞれ挿入させて、底板11の上面18と左側板12の下面19とを当接させる。これにより、底板11の上面18と、他方の構成部材20である左側板12の下面19とが接合されて、底板11及び左側板12からなる２個の構成部材20が組み合わされた状態に固定される。他の２個の構成部材20の組合せも同様に固定される。
【００１７】
各構成部材20（底板11、左側板12、右側板13及び天板14）の前面16及び後面17には、縦断面形状が略円形状であって前後方向に略円柱状に空けられた複数の挿嵌穴70が形成されている。この挿嵌穴70の内径は、後述する留め具30の並列ピン36の外径より僅かに大きく形成されている。なお、挿嵌穴70の内径は、弾性変形を考慮して、後述する並列ピン36の外径と同一にしてもよい。各構成部材20の前面の挿嵌穴70は、前面16から後面17側に向かって後述する並列ピン36の長さよりも長い距離からなる所定深さに空けられているものであり、また、各構成部材20の後面17の挿嵌穴70は、後面17から背面側に向かって後述する並列ピン36の長さよりも長い距離からなる所定深さに空けられているものである。
【００１８】
また、全ての挿嵌穴70は、各構成部材20の板厚（特定基本距離）の中央の位置であって複数の挿嵌穴70は、板面に平行なライン上に並ぶように配置されている。
また、全ての構成部材20の前面16及び後面17の長手方向の一端側において、前面16及び後面17の長手方向の一方の端から他方の端に向かって、前記特定基本距離の２分の１の距離の位置に、挿嵌穴70が形成されている。さらに、この挿嵌穴70から前記他方の端に向かって、前記特定基本距離の間隔で、前記挿嵌穴70と同一形状のものが複数個（底板11及び天板14は前記一端に各３個ずつ、左側板12及び右側板13は前記一端に各２個ずつ）形成されている。なお、ここで、全ての挿嵌穴70の中心軸は、前後方向であって平行に形成されている。
【００１９】
また、全ての構成部材20の前面16及び後面17の長手方向の前記他端側において、前面16及び後面17の長手方向の前記他端側から前記一端側に向かって、前記特定基本距離の２分の１の距離の位置に、挿嵌穴70が形成されている。さらに、この挿嵌穴70から前記一端側に向かって、前記特定基本距離の間隔で、前記挿嵌穴70と同一形状のものが複数個（底板11及び天板14は前記他端側に各３個ずつ、左側板12及び右側板13は前記他端側に各２個ずつ）形成されている。なお、ここで、全ての挿嵌穴70の中心軸は、前後方向であって平行に形成されている。
前記底板11及び左側板12の前面16及び後面17における当接部分を挟んだ両脇の位置には、それぞれ左下部挿嵌穴71が形成されている。前記底板11の左下部挿嵌穴71は、底板11の前面16の左端及び後面17の左端から所定ピッチ（具体的には前記特定基本距離のピッチ）で３つの挿嵌穴70（左端から順に、「第１挿嵌穴81」、「第２挿嵌穴82」、「第３挿嵌穴83」という）が形成されている。また、左側板12の前面16及び後面17における下端から上端に向かって所定ピッチ（具体的には前記特定基本距離のピッチ）で２つの挿嵌穴70（下端から順に、「第２挿嵌穴82」、「第３挿嵌穴83」という）が形成されている。
【００２０】
前記底板11及び右側板13の前面16及び後面17における当接部分を挟んだ両脇の位置には、それぞれ右下部挿嵌穴72が形成されている。前記底板11の右下部挿嵌穴72は、底板11の前面16の右端び後面17の右端から所定ピッチ（具体的には前記特定基本距離のピッチ）で３つの挿嵌穴70（右端から順に、「第１挿嵌穴81」、「第２挿嵌穴82」、「第３挿嵌穴83」という）が形成されている。また、右側板13の前面16及び後面17における下端から上端に向かって所定ピッチ（具体的には前記特定基本距離のピッチ）で２つの挿嵌穴70（下端から順に、「第２挿嵌穴82」、「第３挿嵌穴83」という）が形成されている。
前記天板14及び左側板12の前面16及び後面17における当接部分を挟んだ両脇の位置には、それぞれ左上部挿嵌穴73が形成されている。前記天板14の左上部挿嵌穴73は、天板14の前面16の左端及び後面17の左端から所定ピッチ（具体的には前記特定基本距離のピッチ）で３つの挿嵌穴70（左端から順に、「第１挿嵌穴81」、「第２挿嵌穴82」、「第３挿嵌穴83」という）が形成されている。また、左側板12の前面16及び後面17における上端から下端に向かって所定ピッチ（具体的には前記特定基本距離のピッチ）で２つの挿嵌穴70（上端から順に、「第２挿嵌穴82」、「第３挿嵌穴83」という）が形成されている。
【００２１】
前記天板14及び右側板13の前面及び後面における当接部分を挟んだ両脇の位置には、それぞれ右上部挿嵌穴74が形成されている。前記天板14の右上部挿嵌穴74は、天板14の前面16の右端及び後面17の右端から所定ピッチ（具体的には前記特定基本距離のピッチ）で３つの挿嵌穴70（右端から順に、「第１挿嵌穴81」、「第２挿嵌穴82」、「第３挿嵌穴83」という）が形成されている。また、右側板13の前面16及び後面17における上端から下端に向かって所定ピッチ（具体的には前記特定基本距離のピッチ）で２つの挿嵌穴70（上端から順に、「第２挿嵌穴82」、「第３挿嵌穴83」という）が形成されている。
すなわち底板11の上面18と天板14の下面19との間に支板7（左側板12及び右側板13）が挟まれるとともに支板7（左側板12及び右側板13）は主板6（底板11及び天板14）の上面18及び下面19の両側端に沿って配置されている。さらに支板7（左側板12及び右側板13）の板面が主板6（底板11及び天板14）の上面18及び下面19と直角となるように配置されている。
【００２２】
前記組立式家具10における主板6（底板11及び天板14）の前面16側の長手方向の長さは、支板7（左側板12及び右側板13）の前面16側の長手方向の長さに特定基本距離（板厚）の２倍の長さを加えた長さに設定されている。これにより２枚の主板6及び２枚の支板7を枠状に組み立てると、その前面16及び後面17が、４辺が等しい正方形（図２参照）に形成される。もちろん寸法はこの正方形に限定されるものではなく、主板6及び支板7の前面16及び後面17の長手方向の長さを種々変えることにより正方形以外の長方形等の種々の寸法のものが形成されるものである（図６参照）。また、主板6及び支板7の奥行き方向の長さは、前記主板6の前面16の長手方向の長さに設定されている。これにより、組立式家具10が組み立てられると全体として立方体形状となる。もちろん、奥行きの長さはこれに限定されるものではなく、他の寸法に形成して直方体状としてもよい。
【００２３】
また、各構成部材20（底板11、左側板12、右側板13及び天板14）の外側の板面の奥側寄りには、複数（具体的には、各構成部材20で２個ずつ）の連結用ダボ穴43が形成されている。この組立式家具10を上下または左右に並べた際に、隣接する組立式家具10の各構成部材20の連結用ダボ穴43が対向するような位置に形成されている。この対向する連結用ダボ穴43にダボ40（図４参照）を挿入することにより、隣接する組立式家具10同士を連結することができる。
本実施の形態に係る組立式家具キット5の組立式家具10は、２枚の主板6（底板11及び天板14）の間に２枚の支板7（左側板12及び右側板13）を位置させたときの支板7及び主板6のうち当接する部分において互いに近接する支板7の挿嵌穴70と主板6の挿嵌穴70とをその当接する部分を跨いで一対の並列ピン36（図３参照）が差し込まれることにより並列ピン36で固定されることによって全体が枠状に組み立てられる。
【００２４】
また、この組立式家具10を上下または左右に並べた際に、上述した各構成部材20の挿嵌穴70は、後述する留め具30の並列ピン36（図３参照）を介して、隣接した２個の組立式家具10同士を連結するための連結用挿嵌穴76として利用することができるものである。具体的には、後述する留め具30の並列ピン36（図３参照）が、隣接した２個の組立式家具10における両者の接触した接触部分を挟んで近接した２つの連結用挿嵌穴76にそれぞれ挿嵌されることにより、隣接した２個の組立式家具10が留め具30によって連結可能に形成されている（図９参照）。
また、各構成部材20を四角枠状に固定した際、上述した各構成部材20の挿嵌穴70は、後述する四角フレーム60の取付ピン63（図５参照）を挿嵌可能な取付用挿嵌穴75として利用することができるものである。具体的には、後述する四角フレーム60の取付ピン63の位置と、左下部挿嵌穴71、右下部挿嵌穴72、左上部挿嵌穴73及び右上部挿嵌穴74の各第２挿嵌穴82の位置とが対応するように形成されている（図５参照）。
【００２５】
図２に示すように、組立式家具10の後面17には、各構成部材20同士を連結するための留め具30が取り付けられている。
底板11及び左側板12の間には、左下留め具31が形成されている。この左下留め具31は、底板11の左下部挿嵌穴71の第１挿嵌穴81及び左側板12の左下部挿嵌穴71の第２挿嵌穴82にそれぞれ差し込まれた並列ピン36（図３参照）と、これらの並列ピン36間を連結する連結部35（図３参照）とを備えている。底板11及び左側板12の左下部挿嵌穴71に挿嵌された左下留め具31の並列ピン36が、連結部35を介して連結されていることで底板11と左側板12とが固定される。
【００２６】
底板11及び右側板13の間には、右下留め具32が形成されている。この右下留め具32は、底板11の右下部挿嵌穴72の第１挿嵌穴81及び右側板13の右下部挿嵌穴72の第２挿嵌穴82にそれぞれ差し込まれた並列ピン36（図３参照）と、これらの並列ピン36間を連結する連結部35（図３参照）とを備えている。底板11及び右側板13の右下部挿嵌穴72に挿嵌された右下留め具32の並列ピン36が、連結部35を介して連結されていることで底板11と右側板13とが固定される。
天板14及び左側板12の間には、左上留め具33が形成されている。この左上留め具33は、天板14の左上部挿嵌穴73の第１挿嵌穴81及び左側板12の左上部挿嵌穴73の第２挿嵌穴82にそれぞれ差し込まれた並列ピン36（図３参照）と、これらの並列ピン36間を連結する連結部35（図３参照）とを備えている。天板14及び左側板12の左上部挿嵌穴73に挿嵌された左上留め具33の並列ピン36が、連結部35を介して連結されていることで天板14と左側板12とが固定される。
【００２７】
天板14及び右側板13の間には、右上留め具34が形成されている。この右上留め具34は、天板14の右上部挿嵌穴74の第１挿嵌穴81及び右側板13の右上部挿嵌穴74の第２挿嵌穴82にそれぞれ差し込まれた並列ピン36（図３参照）と、これらの並列ピン36間を連結する連結部35（図３参照）とを備えている。天板14及び右側板13の右上部挿嵌穴74に挿嵌された右上留め具34の並列ピン36が、連結部35を介して連結されていることで天板14と右側板13とが固定される。
図３に示すように、この留め具30は、扁平な帯板状の連結部35と、連結部35に並設された２つの並列ピン36とを備えている。この２つの並列ピン36の中心軸間の間隔は、各構成部材20の隣接する挿嵌穴70の中心軸間（たとえば第１挿嵌穴81と第２挿嵌穴82との中心軸間）の間隔と同様であって、前記特定基本距離の間隔だけ離れているものである。なお、この留め具30の材質は、合成樹脂からなる。差し込まれる挿嵌穴70の周囲の強度との釣り合いを考慮しているためであるが、もちろん金属や木質からなるものや、それらの材質が組み合わさった複合部材からなるものでもよい。
【００２８】
前記並列ピン36の先端から連結部35に向かう基端側の途中まで、縦方向に隙間を有するスリット41が形成されている。このスリット41が形成されていることにより、並列ピン36が挿嵌穴70に押し込まれた際、スリット41の間隔が閉じることで、並列ピン36の先端側が縮径する方向に弾性変形し易くなる。なお、スリット41は、縦方向（直径方向）で円周方向に１８０度間隔で形成され１つの並列ピン36を２分割するように形成されているが、特にこれに限定されるものではない。たとえばスリット41は、縦方向で円周方向に９０度間隔で形成され１つの並列ピン36を４分割するように形成されてもよい。
また、連結部35に配置された１対の並列ピン36間の距離は、本実施の形態では縦方向又は横方向に隣接する挿嵌穴70間の距離（特定基本距離）と同一に形成されているが、その他の長さのものを併用してもよい。たとえば一対の並列ピン36間の距離を、斜め４５度方向に位置する第２挿嵌穴82同士間の距離と同一のものを形成して、第２挿嵌穴82同士が留め具30により連結可能となるようにしてもよい。また、一対の並列ピン36間の距離を、斜め４５度方向に位置する第３挿嵌穴83同士間の距離と同一のものを形成して、第３挿嵌穴83同士が留め具30により連結可能となるようにしてもよい。
【００２９】
図４に示すように、ダボ40は、上述した留め具30の並列ピン36の基端同士を接合したような形状のものである。ダボ40の両端には、並列ピン36の先端と同様に、弾性変形を容易にするためのスリット41が縦方向に形成されている。なお、このダボ40の材質は、合成樹脂からなる。差し込まれるダボ穴42等の周囲の強度との釣り合いを考慮しているためであるが、もちろん金属や木質からなるものや、それらの材質が組み合わさった複合部材からなるものでもよい。
図５に示すように、本実施の形態に係る組立式家具キット5による組立式家具10の前面16側の開口縁は、木質からなる四角枠状の四角フレーム60によって被覆されるものである。この四角フレーム60は、２枚の主板6（底板11及び天板14）及び２枚の支板7（左側板12及び右側板13）を枠状に組み立てた状態の主板6（底板11及び天板14）及び支板7（左側板12及び右側板13）の前面16又は後面17と略同一寸法の四角枠状に形成されている。本実施の形態では、四角フレーム60は、主板6（底板11及び天板14）及び支板7（左側板12及び右側板13）の前面16側にだけ取り付けられているが、後面17にも取り付けてもよいものである。
【００３０】
この四角フレーム60における底板11、左側板12、右側板13、及び天板14の前面16に対向する所定位置（角部近傍）には、それぞれ取付ピン63が設けられている。この取付ピン63は、四角フレーム60の４つの各角部毎に設けられている。この取付ピン63は、前記挿嵌穴70に向かって突出するとともに挿嵌穴70の内径より僅かに小さな外径を有するものである。なお、取付ピン63の外径は、弾性変形を考慮して挿嵌穴70の内径と同一に形成されてもよい。
前記取付ピン63は、その角部が覆う主板6（底板11及び天板14）の挿嵌穴70の１つに対向する四角フレーム60の位置から、その挿嵌穴70に向かって突出するとともにその挿嵌穴70の内径より僅かに小さな外径を有する外フレーム主板用取付ピン64と、その角部が覆う支板7（左側板12及び右側板13）の挿嵌穴70の１つに対向する四角フレーム60の位置から、その挿嵌穴70に向かって突出するとともにその挿嵌穴70の内径より僅かに小さな外径を有する外フレーム支板用取付ピン65とを備えている。なお、外フレーム主板用取付ピン64及び外フレーム支板用取付ピン65の外径は、弾性変形を考慮して挿嵌穴70の内径と同一に形成されてもよい。
【００３１】
具体的に説明すると、四角フレーム60は、枠状になった２枚の主板6（底板11及び天板14）及び２枚の支板7（左側板12及び右側板13）に取り付けた際、正面から見て左下に位置する左下角部91と、右下に位置する右下角部92と、左上に位置する左上角部93と、右上に位置する右上角部94との４つの角部を有している。この各角部毎に、外フレーム主板用取付ピン64と、外フレーム支板用取付ピン65とからなる２つの取付ピン63が形成されている。左下角部91の２本の取付ピン63が、左下部挿嵌穴71の第２挿嵌穴82に挿入可能に形成されている。すなわち左下角部91の外フレーム主板用取付ピン64が、左下部挿嵌穴71の底板11の第２挿嵌穴82に挿入されるものであり、左下部挿嵌穴71の外フレーム支板用取付ピン65が、左下部挿嵌穴71の左側板12の第２挿嵌穴82に挿入されるものである。なお、左下角部91以外の他の角部（右下角部92、左上角部93及び右上角部94）の２つの取付ピン63（外フレーム主板用取付ピン64及び外フレーム支板用取付ピン65）も、同様に対応する右下部挿嵌穴72、左上部挿嵌穴73及び右上部挿嵌穴74の主板6及び支板7の各第２挿嵌穴82に差し込まれるものである。
【００３２】
すなわち、底板11、左側板12、右側板13及び天板14の前面16における取付ピン63に対応する位置には、四角フレーム60を取り付けるための取付用挿嵌穴75としても利用可能な挿嵌穴70がそれぞれ形成されている。前面16側の左下部挿嵌穴71、右下部挿嵌穴72、左上部挿嵌穴73及び右上部挿嵌穴74の各第２挿嵌穴82に、四角フレーム60の各角部の２つの取付ピン63が挿嵌される。
この取付ピン63が取付用挿嵌穴75に挿嵌された四角フレーム60が組立式家具10の前面の開口縁に取り付けられることにより、底板11、左側板12、右側板13及び天板14の前面16側が同時に固定される。なお、この四角フレーム60の取付ピン63だけで各構成部材20の前面16側を固定可能なものであるが、上述した留め具30の並列ピン36の取付位置と、四角フレーム60の取付ピン63の取付位置とが重複しないようにしたものを使用することで、前面16及び後面17の両方において、留め具30と四角フレーム60とを併用するようにしてもよい。また、後面17側に四角フレーム60を使用して前面16側に留め具30を使用してもよく、また四角フレーム60及び留め具30を前面16及び後面17のいずれかまたは両方に併用するようにしてもよい。後面17側に四角フレーム60を取り付けるような場合においては、具体的には、組立式家具10の後面17が、上述した取付ピン63を有する四角フレーム60に被覆されるように形成されているものである。底板11、左側板12、右側板13及び天板14の後面17における取付ピン63に対応する位置には、取付用挿嵌穴75としても利用可能な挿嵌穴70がそれぞれ形成されているものである。後面17側の左下部挿嵌穴71、右下部挿嵌穴72、左上部挿嵌穴73及び右上部挿嵌穴74の各第２挿嵌穴82に、四角フレーム60の角部の２つの取付ピン63が挿嵌可能に形成されている。この取付ピン63が取付用挿嵌穴75に挿嵌された四角フレーム60が組立式家具10の後面17の開口縁に取り付けられることにより、底板11、左側板12、右側板13及び天板14の後面17側が同時に固定される。
【００３３】
なお、ここで、外フレーム主板用取付ピン64と、外フレーム支板用取付ピン65とは、４つの角部の各挿嵌穴70の第２挿嵌穴82に差し込まれる位置に形成されているが、特にこれに限定されるものではない。四角フレーム60の４つの各角部において、外フレーム主板用取付ピン64は、その角部が覆う主板6の挿嵌穴70の少なくとも１つに対向する四角フレーム60の位置から、その挿嵌穴70に向かって突出するように形成され、さらに外フレーム支板用取付ピン65は、その角部が覆う支板7の挿嵌穴70の少なくとも１つに対向する四角フレーム60の位置から、その挿嵌穴70に向かって突出するように形成されてあればよい。具体的には、たとえば左下角部91において、外フレーム主板用取付ピン64が底板11の第３挿嵌穴83に対向する位置に形成され、外フレーム支板用取付ピン65が左側板12の第３挿嵌穴83に対向する位置に形成されてもよい。また、たとえば左下角部91において、外フレーム主板用取付ピン64が底板11の第１挿嵌穴81に対向する位置に形成され、外フレーム支板用取付ピン65が左側板12の第２挿嵌穴82に対向する位置に形成されてもよい。
【００３４】
本実施の形態に係る組立式家具10は、以下のような組立工程となる。
先ず、図１に示すように、底板11を床面に水平に載置し、両端の各ダボ穴42にダボ40を挿入する。そして、その底板11から上方に突出しているダボ40に向かって、左側板12（又は右側板13）のダボ穴42が整合するように左側板12を立てた状態に配置する。その状態で左側板12（又は右側板13）を上方から押し込み、左側板12を底板11の端部に立設させた状態でダボ40による仮止め状態となる。同様に右側板13（又は左側板12）も底板11の端部に立設させる。
次に、左側板12及び右側板13の上面のダボ穴42にダボ40を挿入する。上方から天板14のダボ穴42に当該ダボ40が入り込むように配置し、入り込んだ状態で天板14を下方に押し込んで、左側板12及び右側板13の上面間に天板14を渡した状態とする。これにより、ダボ40により仮止め状態の底板11、左側板12、右側板13、天板14からなる四角筒状（枠状）のものが形成される。
【００３５】
次に、図２に示すように、上述の四角筒状のものの後面17側の四隅にある主板6（底板11及び天板14）の第１挿嵌穴81と、支板7（左側板12及び右側板13）の第２挿嵌穴82とにそれぞれ留め具30の並列ピン36を差し込む。これにより、組立式家具10の後面17側の当接する各構成部材20同士が固定される。
次に、図５に示すように、後面17側を留め具30により固定した四角筒状の組立式家具10の前面16に四角フレーム60が整合するように配置する。四角フレーム60の四隅ごとに設けた２個の取付ピン63が、四角筒状の組立式家具10の前面16の各隅ごとに配置された２個の第２挿嵌穴82に挿入されるように、四角フレーム60を組立式家具10の前面16側に押し込む。これにより、組立式家具10の各構成部材20同士が四角フレーム60により固定される。上述した工程により、１個の組立式家具10が完成する。なお、上述した順序では、後面17側から先に留め具30で固定したが、後面17よりも前面16側の四角フレーム60から先に固定するようにしてもよい。
【００３６】
また、後面17側にも前面16側と同様の四角フレーム60を取り付けてもよい。これにより、前面16及び後面17の両方からの外観に優れた組立式家具10を形成することができる。
なお、上述した組立式家具10は、底板11の下面19を床面に水平に載置して使用しているが、必ずしもこれに限定されるものではなく、上述して作成した立方体状の組立式家具10を正面から見て９０度だけ時計方向（又は反時計方向）に回転させて、右側板13の右側面（又は左側板12の左側面）が床面に水平に載置されるようにして使用することもできる。
（第２の実施の形態）
本実施の形態に係るユニット家具キット4は、このユニット家具キット4を購入した購入者が自ら組み立てることによりユニット家具100を作成することができるものであって、このユニット家具100を組み立てるための板材や留め具30等の部品が一式揃っているものである。
【００３７】
本実施の形態は、第１の実施の形態に係る組立式家具キット5及びその組立式家具キット5とは寸法のみが異なる組立式家具キット5を複数個有するユニット家具キット4であって、寸法形状の異なる組立式家具キット5による組立式家具10が複数個組み合わされてユニット家具キット4によるユニット家具100としての家具3を形成するものである。
図６に示すように、本実施の形態に係る組立式家具キット5による組立式家具10は、４種類の寸法が異なる組立式家具10（第１組立式家具10a、第２組立式家具10b、第３組立式家具10c、第４組立式家具10dの合計４種類）を有している。
第１組立式家具10aは、予め定めた所定の高さＡ及び予め定めた所定の幅Ｂからなる。この高さＡは幅Ｂの２倍の長さとなる。
【００３８】
第２組立式家具10bは、第１の実施の形態で説明した組立式家具10と同一のものであって、高さＣ及び幅Ｄからなる。この高さＣは第１組立式家具10aの高さＡと同一の長さであり、幅Ｄは第１組立式家具10aの幅Ｂの２倍の長さとなる。この第２組立式家具10bは、高さＣと幅Ｄとは同一の長さであり、前面16及び後面17は、正方形となる。
第３組立式家具10cは、高さＦ及び幅Ｇからなる。この高さＦは第１組立式家具10aの高さＡの２倍の長さであり、幅Ｇは第１組立式家具10aの幅Ｂと同一の長さである。
第４組立式家具10dは、高さＨ及び幅Ｉからなる。この高さＨは第１組立式家具10aの高さＡの２倍の長さであり、幅Ｉは第１組立式家具10aの幅Ｂの２倍の長さとなる。
【００３９】
なお、第１組立式家具10a、第３組立式家具10c及び第４組立式家具10dは、寸法のみが第１の実施の形態で説明した第２組立式家具10bと異なり、寸法のみが異なる別部品となる以外は、部品構成や組立工程は第１の実施の形態で説明した組立式家具10である第２組立式家具10bと同様なので、詳細な説明は省略する。
図７に示すように、上述した４種類の組立式家具10を組み合わせて全体形状が略直方体状のユニット家具100としての家具3を形成することができる。なお、これらの４種類の組立式家具10の奥行きの長さは、同一のものを使用しているがこれに限定されるものではなく、奥行きの長さが異なるものを使用してもよい。また、ユニット家具100における組立式家具10の組合せの仕方は、これに限定されるものではなく、上述した４種類の組立式家具10を用いて他の組合せで形成することもできる。
【００４０】
図８に示すように、このユニット家具100は、各組立式家具10が隣接する外側の板面同士がダボ40により連結されているものである。各組立式家具10の外側の板面には、複数の連結用ダボ穴43が形成されている（図１参照）。これらの組立式家具10を上下または左右に並べた際に、隣接する組立式家具10の連結用ダボ穴43同士が対向するように形成されている。このため、対向する連結用ダボ穴43にダボ40（図４参照）を挿入することで隣接する組立式家具10同士が連結される。こられのダボ40を使用することによりユニット家具100を組み立てる際の各組立式家具10同士を仮止めすることができ、各組立式家具10同士の位置決めが容易となる。また、これらのダボ40を使用することにより、組立後、ユニット家具100の全体の剛性を高めることができるものである。
【００４１】
図９に示すように、本実施の形態に係る組立式家具10を上下または左右に並べると、隣接する組立式家具10において近接する第１挿嵌穴81同士、第２挿嵌穴82同士及び第３挿嵌穴83同士が上下または左右に並列する。この並列する第１挿嵌穴81、第２挿嵌穴82及び第３挿嵌穴83は、上述した挿嵌穴70の所定ピッチ（特定基本距離）で並列する。並列する第１挿嵌穴81または第２挿嵌穴82が空いていれば、第１挿嵌穴81または第２挿嵌穴82に留め具30の並列ピン36を挿入することにより、隣接する組立式家具10同士を連結することができる。第１挿嵌穴81及び第２挿嵌穴82には、各構成部材20の固定時に装着された留め具30の並列ピン36が既に存在する場合がある。そのような場合には、並列する第３挿嵌穴83に留め具30の並列ピン36をそれぞれ挿入することにより、隣接する組立式家具10同士を連結することができる。したがって、留め具30による各構成部材20の固定や隣接する組立式家具10同士の連結には、第１挿嵌穴81、第２挿嵌穴82及び第３挿嵌穴83の合計３種類で用が足りる。
【００４２】
第１の実施の形態に係る組立式家具10及びその寸法のみが異なる組立式家具10同士を組み合わせてユニット家具100を組み立てる場合には、各構成部材20の外側の表面に設けた連結用ダボ穴43にダボ40を差し込む（図５参照）。図８に示すように、隣接する組立式家具10の対応する位置の連結用ダボ穴43（図１参照）にダボ40が差し込まれるように、組立式家具10同士を当接させることで、隣接する組立式家具10同士が仮止め状態となる。図９に示すように、仮止め状態となって組み合わされた複数の組立式家具10同士の後面17に設けた挿嵌穴70に留め具30の並列ピン36を差し込む。その際、留め具30の２個の並列ピン36が、隣接する２個の組立式家具10における両者の接触した接触部分を挟んで近接した２つの挿嵌穴70に差し込まれるようにする。これにより、隣接する２個の組立式家具10同士が留め具30によって連結される。組み合わされた複数の組立式家具10の全てを留め具30によって連結させる。
【００４３】
同様にして、組立式家具10の前面16側にも、四角フレーム60を取り付ける前に、上述した後面17側と同様に、隣接する組立式家具10同士の接触部分を挟んで近接した２つの挿嵌穴70に留め具30の並列ピン36を差し込む。その際、四角フレーム60の取付ピン63が差し込まれる挿嵌穴70を除いた挿嵌穴70に対して、留め具30の並列ピン36を差し込むようにする。組み合わされた複数の組立式家具10の全てを留め具30によって連結させる。その後、四角フレーム60の取付ピン63を各組立式家具10の前面16側の挿嵌穴70（取付用挿嵌穴75）に差し込んで、各組立式家具10の前面16側に四角フレーム60を取り付ける。これにより、複数の組立式家具10が一体となったユニット家具100としての家具3が完成する。
【００４４】
なお、後面17側にも前面16側と同様の四角フレーム60を取り付けてもよい。これにより、前面16及び後面17の両方からの外観に優れたユニット家具100を形成することができる。
また、組立式家具10の前面16にガラスや透明樹脂からなる透明部材や、非透明部材を用いた前扉を設け、開口を開閉自在に塞げるように形成してもよい。また、組立式家具10の内部空間に１または複数段の引出しを設け、開口から引出しを出し入れできるように形成してもよい。また、組立式家具10の内部空間に１または複数の着脱自在な棚板を設け、内部空間を仕切れるように形成してもよい。
【００４５】
以上のように、本発明の第１及び第２の実施の形態よれば、従来よりも組み立て作業の占用スペースを小さくすることができ、組み立て作業の時間を短縮することができ、また、従来よりも部品の組み間違いや、取り付け方法及び順序の間違いも起こり難くすることができる。さらに、挿嵌穴70に四角フレーム60の取付ピン63を挿嵌する、または挿嵌穴70に留め具30の並列ピン36を挿嵌することにより、構成部材20同士の固定や、複数の組立式家具10同士の固定を行うことから、ドライバーや、電動ドライバー等の工具を用いずに組み立てることができる。いずれも押し込むだけで簡単に接合することができる。したがって、組立式家具10、及びこの組立式家具10を組み合わせたユニット家具90を容易に組み立てることができる。また、各構成部材20（底板11、左側板12、右側板13及び天板14）が板状の単純な形状であるため、複数の構成部材20を重ねることで小さな梱包とすることが可能となり、これにより梱包資材を削減することができ、さらには運搬時や保管時の占用スペースも少なくすることができる。
【符号の説明】
【００４６】
3  家具                                4  ユニット家具キット
5  組立式家具キット                    6  主板
7  支板                                10  組立式家具
10a  第１組立式家具                    10b  第２組立式家具
10c  第３組立式家具                    10d  第４組立式家具
11  底板                                12  左側板
13  右側板                              14  天板
15  背板                                16  前面
17  後面                                18  上面
19  下面                                20  構成部材
30  留め具                              31  左下留め具
32  右下留め具                          33  左上留め具
34  右上留め具                          35  連結部
36  並列ピン                            37  スリット
38  連結留め具                          40  ダボ
41  スリット                            42  ダボ穴
43  連結用ダボ穴                        60  四角フレーム
63  取付ピン                            64  外フレーム主板用取付ピン
65  外フレーム支板用取付ピン            70  挿嵌穴
71  左下部挿嵌穴                        72  右下部挿嵌穴
73  左上部挿嵌穴                        74  右上部挿嵌穴
75  取付用挿嵌穴                        76  連結用挿嵌穴
81  第１挿嵌穴                          82  第２挿嵌穴
83  第３挿嵌穴                          91  左下角部
92  右下角部                            93  左上角部
94  右上角部                            100  ユニット家具
【図１】
2013215496.tif 000003
【図２】
2013215496.tif 000004
【図３】
2013215496.tif 000005
【図４】
2013215496.tif 000006
【図５】
2013215496.tif 000007
【図６】
2013215496.tif 000008
【図７】
2013215496.tif 000009
【図８】
2013215496.tif 000010
【図９】
2013215496.tif 000011